【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
前記UEによって、拡張可能認証プロトコル(EAP)プロシージャの中で、ネットワークエンティティへの非シームレスなワイヤレスオフロード(NSWO)接続を要求するステップと、
前記EAPプロシージャを介して、認証が成功した後、
前記ネットワークエンティティへのNSWO接続がサポートされている場合、前記UEによって、インターネットプロトコル(IP)アドレスを前記ネットワークエンティティから受信するステップと、
前記ネットワークエンティティへのNSWO接続がサポートされていない場合、前記UEによって、前記ネットワークエンティティへのNSWO接続が許可されないことを示す理由コードを前記ネットワークエンティティから受信するステップと
を備える方法。
【請求項２】
前記理由コードは、前記ネットワークエンティティだけへの単一接続がサポートされている場合、パケットデータネットワーク(PDN)接続が必要とされることをさらに示す、請求項1に記載の方法。
【請求項３】
パケットデータネットワーク(PDN)接続が望まれない場合、切断するステップをさらに備える、請求項1に記載の方法。
【請求項４】
EAP再認証プロシージャの中で、前記ネットワークエンティティへのパケットデータネットワーク(PDN)接続を要求するステップと、
再認証が成功した後、前記ネットワークエンティティによって割り当てられたIPアドレスを受信するステップと
をさらに備える、請求項1に記載の方法。
【請求項５】
前記ネットワークエンティティは、パケットゲートウェイ(P-GW)を含む、請求項4に記載の方法。
【請求項６】
前記UEおよび前記ネットワークエンティティが複数接続をサポートする場合、依然として認証されたままでありながら、ワイヤレスローカルエリアネットワーク(WLAN)制御プロトコル(WLCP)を使用して、前記ネットワークエンティティへのパケットデータネットワーク(PDN)接続を要求するステップ
をさらに備える、請求項1に記載の方法。
【請求項７】
前記UEが複数接続をサポートするとともに前記ネットワークエンティティが単一接続だけをサポートする場合、前記ネットワークエンティティへのパケットデータネットワーク(PDN)接続を、ワイヤレスローカルエリアネットワーク(WLAN)制御プロトコル(WLCP)を使用して要求するステップと、
前記要求が1回または複数回失敗した場合、前記UEが前記単一接続のネットワークへローミングしていることを決定するステップと
をさらに備える、請求項1に記載の方法。
【請求項８】
前記UEがPDN接続を望む場合、EAP再認証プロシージャの中で、前記ネットワークエンティティへのPDN接続を要求するステップ
をさらに備える、請求項7に記載の方法。
【請求項９】
ワイヤレス通信のための方法であって、
ネットワークエンティティで、拡張可能認証プロトコル(EAP)プロシージャの中で、前記ネットワークエンティティへの非シームレスなワイヤレスオフロード(NSWO)接続のための要求をユーザ機器(UE)から受信するステップと、
前記ネットワークエンティティで、前記ネットワークエンティティへのNSWO接続がサポートされているか否かを決定するステップと、
前記EAPプロシージャを介して、認証が成功した後、
前記ネットワークエンティティへのNSWO接続がサポートされていない場合、前記ネットワークエンティティによって、前記ネットワークエンティティへのNSWO接続が許可されないことを示す理由コードを、前記UEへ送るステップと
を備える方法。
【請求項１０】
前記理由コードは、前記ネットワークエンティティだけへの単一接続がサポートされている場合、パケットデータネットワーク(PDN)接続が必要とされることをさらに示す、請求項9に記載の方法。
【請求項１１】
EAP再認証プロシージャの中で、前記ネットワークエンティティへのパケットデータネットワーク(PDN)接続のための要求を前記UEから受信するステップと、
再認証が成功した後、IPアドレスを前記UEに割り当てるステップと
をさらに備える、請求項9に記載の方法。
【請求項１２】
前記ネットワークエンティティは、パケットゲートウェイ(P-GW)を含む、請求項11に記載の方法。
【請求項１３】
前記UEおよび前記ネットワークエンティティが複数接続をサポートする場合、依然として認証されたままでありながら、ワイヤレスローカルエリアネットワーク(WLAN)制御プロトコル(WLCP)を介した前記ネットワークエンティティへのパケットデータネットワーク(PDN)接続のための要求を前記UEから受信するステップ
をさらに備える、請求項9に記載の方法。
【請求項１４】
ユーザ機器(UE)によるワイヤレス通信のための装置であって、
拡張可能認証プロトコル(EAP)プロシージャの中で、ネットワークエンティティへの非シームレスなワイヤレスオフロード(NSWO)接続を要求するための手段と、
前記EAPプロシージャを介して、認証が成功した後、
前記ネットワークエンティティへのNSWO接続がサポートされている場合、インターネットプロトコル(IP)アドレスを前記ネットワークエンティティから受信し、
前記ネットワークエンティティへのNSWO接続がサポートされていない場合、前記ネットワークエンティティへのNSWO接続が許可されないことを示す理由コードを前記ネットワークエンティティから受信する
ための手段と
を備える装置。
【請求項１５】
前記理由コードは、前記ネットワークエンティティへの単一接続だけがサポートされている場合、パケットデータネットワーク(PDN)接続が必要とされることをさらに示す、請求項14に記載の装置。
【請求項１６】
パケットデータネットワーク(PDN)接続が望まれない場合、切断するための手段をさらに備える、請求項14に記載の装置。
【請求項１７】
EAP再認証プロシージャの中で、前記ネットワークエンティティへのパケットデータネットワーク(PDN)接続を要求するための手段と、
再認証が成功した後、前記ネットワークエンティティによって割り当てられたIPアドレスを受信するための手段と
をさらに備える、請求項14に記載の装置。
【請求項１８】
前記ネットワークエンティティは、パケットゲートウェイ(P-GW)を含む、請求項17に記載の装置。
【請求項１９】
前記UEおよび前記ネットワークエンティティが複数接続をサポートする場合、依然として認証されたままでありながら、ワイヤレスローカルエリアネットワーク(WLAN)制御プロトコル(WLCP)を使用して、前記ネットワークエンティティへのパケットデータネットワーク(PDN)接続を要求するための手段
をさらに備える、請求項14に記載の装置。
【請求項２０】
前記UEが複数接続をサポートするとともに前記ネットワークエンティティが単一接続だけをサポートする場合、前記ネットワークエンティティへのパケットデータネットワーク(PDN)接続を、ワイヤレスローカルエリアネットワーク(WLAN)制御プロトコル(WLCP)を使用して要求するための手段と、
前記要求が1回または複数回失敗した場合、前記UEが前記単一接続のネットワークへローミングしていることを決定するための手段と
をさらに備える、請求項14に記載の装置。
【請求項２１】
前記UEがPDN接続を望む場合、EAP再認証プロシージャの中で、前記ネットワークエンティティへのPDN接続を要求するための手段
をさらに備える、請求項20に記載の装置。
【請求項２２】
ワイヤレス通信のための装置であって、
拡張可能認証プロトコル(EAP)プロシージャの中で、ネットワークエンティティへの非シームレスなワイヤレスオフロード(NSWO)接続のための要求をユーザ機器(UE)から受信するための手段と、
前記ネットワークエンティティへのNSWO接続がサポートされているか否かを決定するための手段と、
前記EAPプロシージャを介して、認証が成功した後、前記ネットワークエンティティへのNSWO接続がサポートされていない場合、前記ネットワークエンティティへのNSWO接続が許可されないことを示す理由コードを、前記UEへ送るための手段と
を備える装置。
【請求項２３】
前記理由コードは、前記ネットワークエンティティだけへの単一接続がサポートされている場合、パケットデータネットワーク(PDN)接続が必要とされることをさらに示す、請求項22に記載の装置。
【請求項２４】
EAP再認証プロシージャの中で、前記ネットワークエンティティへのパケットデータネットワーク(PDN)接続のための要求を前記UEから受信するための手段と、
再認証が成功した後、IPアドレスを前記UEに割り当てるための手段と
をさらに備える、請求項22に記載の装置。
【請求項２５】
前記ネットワークエンティティは、パケットゲートウェイ(P-GW)を含む、請求項24に記載の装置。
【請求項２６】
前記UEおよび前記ネットワークエンティティが複数接続をサポートする場合、依然として認証されたままでありながら、ワイヤレスローカルエリアネットワーク(WLAN)制御プロトコル(WLCP)を介した前記ネットワークエンティティへのパケットデータネットワーク(PDN)接続のための要求を前記UEから受信するための手段
をさらに備える、請求項22に記載の装置。
【請求項２７】
ユーザ機器(UE)によるワイヤレス通信のための装置であって、
拡張可能認証プロトコル(EAP)プロシージャの中で、ネットワークエンティティへの非シームレスなワイヤレスオフロード(NSWO)接続を要求し、
前記EAPプロシージャを介して、認証が成功した後、
前記ネットワークエンティティへのNSWO接続がサポートされている場合、インターネットプロトコル(IP)アドレスを前記ネットワークエンティティから受信し、
前記ネットワークエンティティへのNSWO接続がサポートされていない場合、前記ネットワークエンティティへのNSWO接続が許可されないことを示す理由コードを前記ネットワークエンティティから受信する
ように構成される少なくとも1つのハードウェアプロセッサと、
前記少なくとも1つのハードウェアプロセッサに結合されたメモリと
を備える装置。
【請求項２８】
ワイヤレス通信のための装置であって、
拡張可能認証プロトコル(EAP)プロシージャの中で、ネットワークエンティティへの非シームレスなワイヤレスオフロード(NSWO)接続のための要求をユーザ機器(UE)から受信し、
前記ネットワークエンティティへのNSWO接続がサポートされているか否かを決定し、
前記EAPプロシージャを介して、認証が成功した後、
前記ネットワークエンティティへのNSWO接続がサポートされていない場合、前記ネットワークエンティティへのNSWO接続が許可されないことを示す理由コードを、前記UEへ送る
ように構成される少なくとも1つのハードウェアプロセッサと、
前記少なくとも1つのハードウェアプロセッサに結合されたメモリと
を備える装置。
【請求項２９】
命令を記憶したコンピュータ可読記録媒体であって、前記命令は、1つまたは複数のプロセッサによって、
ユーザ機器(UE)によって、拡張可能認証プロトコル(EAP)プロシージャの中で、ネットワークエンティティへの非シームレスなワイヤレスオフロード(NSWO)接続を要求することと、
前記EAPプロシージャを介して、認証が成功した後、
前記ネットワークエンティティへのNSWO接続がサポートされている場合、前記UEによって、インターネットプロトコル(IP)アドレスを前記ネットワークエンティティから受信することと、
前記ネットワークエンティティへのNSWO接続がサポートされていない場合、前記UEによって、前記ネットワークエンティティへのNSWO接続が許可されないことを示す理由コードを前記ネットワークエンティティから受信することと
のために実行可能である、コンピュータ可読記録媒体。
【請求項３０】
命令を記憶したワイヤレス通信のためのコンピュータ可読記録媒体であって、前記命令は、1つまたは複数のプロセッサによって、
拡張可能認証プロトコル(EAP)プロシージャの中で、ネットワークエンティティへの非シームレスなワイヤレスオフロード(NSWO)接続のための要求をユーザ機器(UE)から受信することと、
前記ネットワークエンティティへのNSWO接続がサポートされているか否かを決定することと、
前記EAPプロシージャを介して、認証が成功した後、
前記ネットワークエンティティへのNSWO接続がサポートされていない場合、前記ネットワークエンティティへのNSWO接続が許可されないことを示す理由コードを、前記UEへ送ることと
のために実行可能である、コンピュータ可読記録媒体。